(57)【要約】【課題】  取扱説明書等を手元に置いて参照しなくても、容易且つ効率的に操作して、所望のレイアウトの墨字印刷と点字打刻とができる文字情報処理方法、文字情報処理装置、プログラムおよび記憶媒体を提供する。【解決手段】  共通する処理シートに対する墨字の印刷および点字の打刻のレイアウトを、レイアウト設定に関する複数の選択肢から選択設定するに際して、前記複数の選択肢のサンプル画像を表示画面に表示することを特徴とする。【選択図】  図１１
2006053312.tif 000002
【特許請求の範囲】
【請求項１】
共通する処理シートに印刷および打刻される墨字および点字のレイアウトを、レイアウト設定に関する複数の選択肢から選択設定するに際して、前記複数の選択肢のサンプル画像を表示画面に表示することを特徴とする文字情報処理方法。
【請求項２】
前記複数の選択肢には、前記墨字と前記点字とを並べて配置する点字墨字並記と、少なくとも一部を重ねて配置する点字墨字重記と、が含まれることを特徴とする、請求項１に記載の文字情報処理方法。
【請求項３】
前記点字墨字並記には、前記墨字に対して前記点字を上側に配置する上点字と下側に配置する下点字とが含まれることを特徴とする、請求項２に記載の文字情報処理方法。
【請求項４】
前記レイアウトが選択設定された後、前記サンプル画像に代えて、設定されたレイアウト情報に基づくプレビュー画像を表示することを特徴とする、請求項１ないし３のいずれかに記載の文字情報処理方法。
【請求項５】
共通する処理シートに墨字の印刷と点字の打刻とを行う文字情報処理装置であって、
前記墨字と前記点字との前記処理シート上におけるレイアウト設定に関する複数の選択肢を記憶するレイアウト選択肢記憶手段と、
前記複数の選択肢のサンプル画像を記憶するサンプル画像記憶手段と、
前記複数の選択肢から選択してレイアウトを設定するに際して、前記複数の選択肢のサンプル画像を表示画面に表示する表示手段と、
を備えたことを特徴とする文字情報処理装置。
【請求項６】
前記表示手段は、前記レイアウトが選択設定された後、前記サンプル画像に代えて、設定されたレイアウト情報に基づくプレビュー画像を表示することを特徴とする、請求項５に記載の文字情報処理装置。
【請求項７】
請求項１ないし４のいずれかに記載の文字情報処理方法を実行可能なことを特徴とするプログラム。
【請求項８】
請求項７に記載のプログラムを、プログラム処理可能な装置によって読出可能に記憶することを特徴とする記憶媒体。
【発明の詳細な説明】
【技術分野】
【０００１】
本発明は、共通の処理シートに墨字の印刷と点字の打刻とを行う文字情報処理方法、文字情報処理装置、プログラムおよび記憶媒体に関する。
【背景技術】
【０００２】
従来、視覚障害者が認識可能な点字と、視覚障害を有しない晴眼者が視認可能な墨字（点字に対し、通常の印刷文字を指す）とを、同一の処理シート（テープ）に対して並べて（または重ねて）配置して、視覚障害者と晴眼者の両者が認識可能な処理シート（点字ラベル）が知られている（例えば、特許文献１参照）。また、墨字印刷と点字打刻とを並行に実行してそれらが並ぶ処理シートを作成できる文字情報処理装置も知られている（例えば、特許文献２参照）。
【特許文献１】特開平１０−２７５２０６号公報
【特許文献２】特開２００１−８８３５８号公報
【発明の開示】
【発明が解決しようとする課題】
【０００３】
ところで、この種の装置においては、墨字のみであっても、一般的なワープロ等と同様に文字サイズ、書体、装飾、割付、等々の各種の設定が可能であるのに加えて、点字のみに関しても各種設定が可能になり、操作が多種に亘る。特に共通の処理シートに対する墨字と点字とのレイアウト関係（特に相対位置関係）は、従来の墨字のみの場合には無いことなので、レイアウトの各種設定の選択肢を各種用意したとしても、その選択肢の表現（文言による説明）だけでは、各選択肢を選んだ結果のイメージを把握しにくく、その分、図解入りで膨大となっている取扱説明書の中から必要部分を参照する必要があり、そのことが操作を煩雑且つ面倒なものとしていた。
【０００４】
本発明は、取扱説明書等を手元に置いて参照しなくても、容易且つ効率的に操作して、所望のレイアウトの墨字印刷と点字打刻とができる文字情報処理方法、文字情報処理装置、プログラムおよび記憶媒体を提供することを目的とする。
【課題を解決するための手段】
【０００５】
本発明の文字情報処理方法は、共通する処理シートに対する墨字の印刷および点字の打刻のレイアウトを、レイアウト設定に関する複数の選択肢から選択設定するに際して、前記複数の選択肢のサンプル画像を表示画面に表示することを特徴とする。
【０００６】
また、本発明の文字情報処理装置は、共通する処理シートに墨字の印刷と点字の打刻とを行う文字情報処理装置であって、前記墨字と前記点字との前記処理シート上におけるレイアウト設定に関する複数の選択肢を記憶するレイアウト選択肢記憶手段と、前記複数の選択肢のサンプル画像を記憶するサンプル画像記憶手段と、前記複数の選択肢から選択してレイアウトを設定するに際して、前記複数の選択肢のサンプル画像を表示画面に表示する表示手段と、を備えたことを特徴とする。
【０００７】
この文字情報処理方法および文字情報処理装置では、共通の処理シートに対する墨字と点字とのレイアウトを、レイアウト設定に関する複数の選択肢から選択して設定するに際して、複数の選択肢のサンプル画像を表示画面に表示するので、取扱説明書等を手元に置いて参照しなくても、容易且つ効率的に操作してレイアウトを決定でき、所望のレイアウトの墨字印刷と点字打刻とができる。
【０００８】
上述の文字情報処理方法において、前記複数の選択肢には、前記墨字と前記点字とを並べて配置する点字墨字並記と、少なくとも一部を重ねて配置する点字墨字重記と、が含まれることが好ましい。
【０００９】
この文字情報処理方法では、複数の選択肢には、墨字と点字とを処理シート上に並べて配置する点字墨字並記と、少なくとも一部を重ねて配置する点字墨字重記と、が含まれるので、いずれかを選択して設定するだけで、墨字と点字とを並記するか重記するか設定できるとともに、取扱説明書等を手元に置いて参照しなくても、サンプル画像を見て確認してから、所望の一方を容易に設定できる。なお、この場合の点字墨字並記には、墨字と点字とを上下に並べる（下記）ばかりでなく、前後や斜め方向に並べるものも含む。
【００１０】
上述の文字情報処理方法において、前記点字墨字並記には、前記墨字に対して前記点字を上側に配置する上点字と下側に配置する下点字とが含まれることが好ましい。
【００１１】
この文字情報処理方法では、点字墨字並記には、処理シート上の墨字に対し、点字を上側に配置する上点字と、点字を下側に配置する下点字と、が含まれるので、サンプル画像により確認してから、いずれかを選択して設定するだけで、取扱説明書等を手元に置いて参照しなくても、墨字に対して点字を上側に配置するか下側に配置するかを容易に設定できる。
【００１２】
上述の各文字情報処理方法において、前記レイアウトが選択設定された後、前記サンプル画像に代えて、設定されたレイアウト情報に基づくプレビュー画像を表示することが好ましい。
【００１３】
上述の各文字情報処理装置において、前記表示手段は、前記レイアウトが選択設定された後、前記サンプル画像に代えて、設定されたレイアウト情報に基づくプレビュー画像を表示することが好ましい。
【００１４】
この文字情報処理方法および文字情報処理装置では、レイアウトが選択設定された後には、設定されたレイアウト情報に基づくプレビュー画像を表示するので、サンプル画像により設定前の確認ができるのに加えて、プレビュー画像により設定後の確認ができる。
【００１５】
また、本発明のプログラムは、上述のいずれかの文字情報処理方法を実行可能なこと、または、上述の文字情報処理装置を機能させることを特徴とする。また、本発明の記憶媒体は、上述のプログラムを、プログラム処理可能な装置によって読出可能に記憶することを特徴とする。
【００１６】
このプログラムでは、上述のいずれかの文字情報処理方法を実行可能なので、または、文字情報処理装置を機能させることができるので、プログラム処理可能な装置によって処理されることにより、または、プログラム処理可能な装置によって記憶媒体に記憶されたプログラムを読み出して実行することにより、取扱説明書等を手元に置いて参照しなくても、容易且つ効率的に操作してレイアウトを決定でき、容易に墨字印刷と点字打刻とができる。
【発明を実施するための最良の形態】
【００１７】
以下、本発明の一実施形態に係るラベル作成装置（文字情報処理装置）について、添付図面を参照しながら詳細に説明する。
【００１８】
図１および図２に示すように、このラベル作成装置１は、手持ち部分１３を有する装置ケース２により外郭が形成され、装置ケース２は、前部ケース２ａと後部ケース２ｂとが一体形成されている。前部ケース２ａは、墨字印刷部１２０を有し、テープカートリッジＣから繰り出されるテープ（処理シート）Ｔに対して墨字印刷を行う。また、後部ケース２ｂは、点字打刻部１５０を有し、ユーザがテープＴを手差し挿入した墨字印刷後のテープＴに対して点字打刻を行う。
【００１９】
前部ケース２ａの前部上面には各種入力キーを備えたキーボード３が配置されると共に、後部上面には開閉蓋２１が取り付けられ、開閉蓋２１には長方形のディスプレイ４が配設されている。また、開閉蓋２１の内側左部にテープカートリッジＣを装着するためのカートリッジ装着部６（墨字印刷部１２０）が窪入形成されており、テープカートリッジＣは、蓋体開放ボタン１４の押下により開閉蓋２１が開放された状態でカートリッジ装着部６に着脱可能に装着される。また、開閉蓋２１には、これを閉止した状態でテープカートリッジＣの装着／非装着を視認するための覗き窓２１ａが形成されている。
【００２０】
前部ケース２ａの右側部には、電源供給のための電源供給口１１と、パソコン等の図外の外部装置と接続するための接続口（インタフェース）１２が形成されており、接続することにより、外部装置からの文字情報に基づいて墨字印刷や点字打刻を行い得るようになっている。また、前部ケース２ａの左側部には、カートリッジ装着部６と外部とを連通する印刷テープ排出口２２が形成され、この印刷テープ排出口２２には、墨字印刷部１２０から送り出したテープＴを切断するための切断部１４０が臨んでいる。そして、切断部１４０によりテープＴの後端部が切断されることにより、印刷テープ排出口２２から墨字印刷後のテープＴが排出される。
【００２１】
また、ラベル作成装置１は、図３に示すように、制御系から見た基本的な構成として、キーボード３およびディスプレイ４を有し、文字情報の入力や各種情報の表示などマンマシンインタフェースを司る操作部１１０と、テープカートリッジＣ、印刷ヘッド７および印刷送りモータ１２１を有し、テープＴおよびインクリボンＲを搬送しながらテープＴ上に墨字印刷を行う墨字印刷部１２０と、テープカッタ１４２およびこれを駆動するカッタモータ１４１を有し、印刷済みテープＴを切断する切断部１４０と、を備えている。
【００２２】
また、ソレノイド４７、打刻ピン４１および打刻送りモータ１５１を有し、テープＴを搬送しながらテープＴに点字打刻を行う点字打刻部１５０と、テープＴ（テープカートリッジＣ）の種別を検出するテープ識別センサ１７１、点字打刻部１５０においてテープＴの先端を検出する先端検出センサ９１、同じく点字打刻部１５０においてテープＴに印刷された前後識別情報Ｄを検出する前後識別センサ９２、印刷送りモータ１２１の回転速度を検出する印刷部回転速度センサ１７２、および打刻送りモータ１５１の回転速度を検出する打刻部回転速度センサ１７３を有し、各種検出を行う検出部１７０と、をさらに備えている。
【００２３】
また、ディスプレイドライバ１８１、ヘッドドライバ１８２、印刷送りモータドライバ１８３、カッタモータドライバ１８４、打刻ドライバ１８５および打刻送りモータドライバ１８６を有し、各部を駆動する駆動部１８０と、各部と接続され、ラベル作成装置１全体を制御する制御部２００と、をさらに備えている。
【００２４】
制御部２００は、ＣＰＵ２１０、ＲＯＭ２２０、ＲＡＭ２３０および入出力制御装置（以下、「ＩＯＣ：Input Output Controller」という）２５０を備え、互いに内部バス２６０により接続されている。ＲＯＭ２２０は、墨字印刷処理や点字打刻処理等の各種処理をＣＰＵ２１０で制御するための制御プログラムを記憶する制御プログラムブロック２２１と、墨字印刷を行うための文字フォントデータや点字打刻を行うための点字フォントデータの他、前後識別情報Ｄを墨字印刷するためのデータや点字データの打刻制御のための制御データ等を記憶する制御データブロック２２２とを有している。なお、文字フォントデータは、ＲＯＭ２２０内ではなく、ＣＧ−ＲＯＭを別個に備えても良い。
【００２５】
ＲＡＭ２３０は、フラグ等として使用される各種ワークエリアブロック２３１の他、生成された墨字印刷データを記憶する墨字印刷データブロック２３２と、生成された点字打刻データを記憶する点字打刻データブロック２３３と、ディスプレイ４に表示するための表示データを記憶する表示データブロック２３４と、設定された墨字印刷領域（印刷配置部）Ｅｐと点字打刻領域（打刻配置部）Ｅｂのレイアウトを記憶するレイアウトブロック２３５と、設定されたレイアウトに応じて点字データを１８０°回転させた状態で打刻する場合に使用する反転点字データＢ´（図９参照）を記憶する反転点字データブロック２３６と、を有し、制御処理のための作業領域として使用される。また、ＲＡＭ２３０は電源が切断されても記憶したデータを保持しておくように常にバックアップされている。
【００２６】
ＩＯＣ２５０には、ＣＰＵ２１０の機能を補うと共に各種周辺回路とのインタフェース信号を取り扱うための論理回路が、ゲートアレイやカスタムＬＳＩなどにより構成されて組み込まれている。これにより、ＩＯＣ２５０は、キーボード３からの入力データや制御データあるいは検出部１７０の各種センサ値を、そのまま或いは加工して内部バス２６０に取り込むと共に、ＣＰＵ２１０と連動して、ＣＰＵ２１０から内部バス２６０に出力されたデータや制御信号を、そのまま或いは加工して駆動部１８０に出力する。
【００２７】
そして、ＣＰＵ２１０は、上記の構成により、ＲＯＭ２２０内の制御プログラムに従って、ＩＯＣ２５０を介してラベル作成装置１内の各部から各種信号・データを入力するとともに、入力した各種信号・データに基づいてＲＡＭ２３０内の各種データを処理し、ＩＯＣ２５０を介してラベル作成装置１内の各部に各種信号・データを出力することにより、墨字印刷処理や点字打刻処理の制御などを行う。
【００２８】
例えば、ＣＰＵ２１０は、キーボード３より文字情報が入力されると、これに基づいて墨字印刷データＰおよび点字打刻データＢを生成し、必要に応じて両データ間での長さ等の調整を行い、反転点字データＢ’を用意する（図９参照）。また、調整前または調整後の墨字印刷データ（余白データを含む）Ｐを墨字印刷データブロック２３２に記憶すると共に、同じく調整前または調整後の点字打刻データ（余白データを含む）Ｂを点字打刻データブロック２３３に記憶し、反転点字データＢ’を反転点字データブロック２３６に記憶する。
【００２９】
また、キーボード３から墨字印刷および点字打刻の指示を取得すると、印刷送りモータ１２１の駆動を開始し、印刷部回転速度センサ１７２の検出結果に応じて印刷ヘッド７を駆動することにより、墨字印刷データＰに基づく墨字印刷を行うと共に、予め制御データブロック２２２内に記憶されているデータに基づいて、挿入するテープＴの前後識別情報Ｄの印刷も行う。その後、墨字印刷データに基づいて（必要に応じて調整済みの）所定長さのテープ送りを行い、テープカッタ１４２によりテープ後端部を切断して、印刷テープ排出口２２からテープＴを排出する。
【００３０】
また、図１〜図３を参照して、引き続き（リセット操作や電源オフ操作が無い状態で）、ユーザによる手差し挿入により、短冊状に切断されたテープＴが打刻テープ挿入口３１に挿入されると、打刻ユニット８０およびテープ送り機構６０を駆動することにより、点字打刻データＢまたは反転点字データＢ′に基づいて点字打刻を行う。そして、打刻終了後、打刻送りモータ１５１の駆動により、点字打刻データＢ等に基づく調整済みの所定長さのテープ送りを行って、打刻テープ排出口３２からテープＴを排出する。なお、打刻ユニット８０による打刻開始は、先端検出センサ９１によるテープ先端の検出をトリガとするのではなく、ユーザがキーボード３上の打刻開始キーを押下することにより手動開始させることも可能である。
【００３１】
ここで、図４を参照し、テープＴ上に形成される点字Ｂ（６点点字Ｂ）について説明する。
【００３２】
点字器や点字タイプライタ等で慣用されている１文字（１マス）や文字間（マス間）の仕様（以下「民間仕様」）によれば、同図に示すように、６点点字Ｂは、縦３個×横２個の６個の点（打刻ポイント：いわゆる「１の点」〜「６の点」と呼ばれる６個の点）で１マス２０１が構成され、６個の点のうちの打刻点および非打刻点のパターンにより、この１マス２０１で、１文字または濁点等の属性を表現するものである、例えば図４（ａ）は、１の点、２の点、５の点、６の点を打刻点とし、３の点、４の点を非打刻点とすることにより、文字情報「し」を表現する点字（点字データ）Ｂを示す図である。
【００３３】
なお、点字Ｂには、このような仮名文字や数字等を表す６点点字Ｂの他、漢字を表す８点点字（１マスが縦４個×横２個の点で構成される点字）も使用されている。ここでは、６点点字Ｂを形成する場合を例に挙げて説明するが、８点点字を形成するラベル作成装置においても本発明は適用可能である。
【００３４】
６点点字Ｂは、１マス２０１が縦３個×横２個の配置パターンで６個の打刻ポイント２０１ａ〜２０１ｆに分割されており、縦方向のピッチが略２．４ｍｍ、マス内の横方向のピッチが略２．１ｍｍ、マス間のピッチは略３．３ｍｍとなっている。同図では、６個の打刻ポイント２０１ａ〜２０１ｆのうち「し」を表現すべく４個の打刻ポイント２０１ａ、２０１ｂ、２０１ｅ、２０１ｆが選択的に打刻されて、テープＴ上に例えば角の丸まった円筒形、半球形、円錐形、四角錐形等の断面形状（図４（ｂ）参照）を有する４個の打刻凸部２０２ａ、２０２ｂ、２０２ｅ、２０２ｆが形成されている。なお、６点点字Ｂを打刻するためには、１マス２０１の大きさ（テープ幅方向長さ）から換算して、最低限テープ幅１２ｍｍ（テープＴ３）が必要となっている。
【００３５】
また、実施形態のラベル作成装置１は、打刻ユニット８０として相互に交換可能な２種類のユニットが用意されており、一方は直径が略１．４ｍｍの小形の小打刻凸部２０３を形成し、他方は直径が略１．８ｍｍの大形の大打刻凸部２０４を形成する。大小２種類の打刻凸部２０３、２０４は、その用途によって使い分けられるものであり、例えば、小打刻凸部２０３が点字Ｂの読み取りに慣れた者（先天盲者）向けであって、大打刻凸部２０４が初心者（中途失明者）向けである。
【００３６】
図１〜図３を参照して、さらに詳述する。キーボード３には、文字キー群３ａ、および各種動作モード等を指定するための機能キー群３ｂが配列されている。文字キー群３ａは、墨字印刷や点字打刻を行うための文字情報を入力するためのものであり、ＪＩＳ配列に基づいたフルキー構成となっている。また、機能キー群３ｂには、墨字印刷や点字打刻を実行させるための印刷・実行キー（印刷キー）、点字打刻部１５０におけるテープＴの送り開始を指示する送り開始キー、手動により点字打刻を行わせる打刻開始キーの他、墨字印刷や点字打刻を行うための処理モードを選択するモードキー、墨字印刷領域（印刷配置部）Ｅｐと点字打刻領域（打刻配置部）Ｅｂの配置を設定するレイアウトキー、その配置結果を印刷等の実行前にスクロール表示させるためのスクロールキーが含まれる。また、これら以外にも、機能キー群３ｂには一般のワープロ等と同様に、処理の取り消し等のための取消キー、カーソル移動用のカーソルキー、各種選択画面における選択肢の決定やテキスト入力時の改行のための確定（エンター）キーなどが含まれる。
【００３７】
モードキーによって選択される処理モードとしては、入力された文字情報に基づいて墨字印刷および点字打刻を行う第１処理モード（図８（ａ）参照）、入力された文字情報に基づいて墨字印刷のみを行う第２処理モード（同図（ｂ）参照）、入力された文字情報に基づいて点字打刻のみを行う第３処理モード（同図（ｃ）参照）があり、いずれか１つの処理モードが選択される。
【００３８】
ディスプレイ４は、横方向（Ｘ方向）約１２ｃｍ×縦方向（Ｙ方向）５ｃｍの長方形の形状の内側に、１９２ドット×８０ドットの表示画像を表示可能であり、ユーザがキーボード３から文字情報を入力して、墨字印刷データや点字打刻データを作成・編集したりする際に用いられる。また、各種エラーやメッセージ（指示内容）を表示し、ユーザに報知する。
【００３９】
墨字印刷部１２０において、カートリッジ装着部６には、ヘッドカバー２０ａ内にサーマルヘッドから成る印刷ヘッド７が内蔵されたヘッドユニット２０と、印刷ヘッド７に対峙するプラテン駆動軸２５と、インクリボンＲを巻き取る巻き取り駆動軸２３と、テープリール１７の位置決め突起２４と、を備えている。また、カートリッジ装着部６の下側には、プラテン駆動軸２５および巻き取り駆動軸２３を回転させる印刷送りモータ１２１が内蔵されている。
【００４０】
テープカートリッジＣは、カートリッジケース５１内部にテープリール１７とリボンリール１９とを収容して構成されており、テープＴとインクリボンＲは同じ幅で構成されている。また、ヘッドカバー２０ａに差し込むための貫通孔５５が形成されており、テープＴとインクリボンＲとが重なる部分に対応して、プラテン駆動軸２５に嵌合されて回転駆動するプラテンローラ５３が配置されている。また、リボンリール１９から繰り出されたインクリボンＲは、ヘッドカバー２０ａを周回して、リボンリール１９に近接配置されたリボン巻き取りリール５４に巻き取られるようになっている。
【００４１】
テープカートリッジＣがカートリッジ装着部６に装着されると、ヘッドカバー２０ａに貫通孔５５が、位置決め突起２４にテープリール１７の中心孔が、プラテン駆動軸２５にプラテンローラ５３が、巻き取り駆動軸２３にリボン巻き取りリール５４の中心孔がそれぞれ差し込まれ、テープＴおよびインクリボンＲを挟み込んで印刷ヘッド７がプラテンローラ５３に当接して墨字印刷が可能になる。そして、墨字印刷後のテープＴは、印刷テープ排出口２２に送られる。
【００４２】
テープＴは、特に図示しないが、裏面に粘着剤層が設けられた基材シート（情報形成層）と、この粘着剤層により基材シートに貼付された剥離紙（剥離紙層）とから構成されている。基材シートは、表側から、インクリボンから感熱転写されるインクの定着性を高めた受像層と、ポリエチレンテレフタレート（ＰＥＴ）製のフィルムで構成され、基材シートの主体を為す基材層と、粘着剤で構成された粘着剤層とを積層して構成されている。
【００４３】
また、テープＴは、テープ種別（テープ幅、テープ色、墨字インク色、テープ材質など）が異なる複数種のものが用意されており、この種別を指標する複数の孔（図示省略）がカートリッジケース５１の裏面に設けられている。また、複数の孔に対応してカートリッジ装着部６には、これらを検出するテープ識別センサ（マイクロスイッチ）１７１が複数設けられており、このテープ識別センサ１７１の状態を検出することで、テープ種別を判別できるようになっている。なお、本実施形態では、テープ幅２４ｍｍ（テープＴ１）、テープ幅１８ｍｍ（テープＴ２）、テープ幅１２ｍｍ（テープＴ３）の３種を例に挙げて説明する（図６参照）。
【００４４】
一方、後部ケース２ｂには、その内部に点字打刻を行うアッセンブリ（点字打刻部１５０）が組み込まれ、その上面は点字打刻部１５０（具体的には、テープ走行路７０、打刻ユニット８０およびテープ送り機構６０）が露出するように十字状に開放されている。また、この切り欠き開口部３０の右部にはユーザによりテープＴが手差し挿入される打刻テープ挿入口３１が形成され、左部には点字打刻後のテープＴが排出される打刻テープ排出口３２が形成されている。
【００４５】
点字打刻部１５０は、３個の打刻ピン４１（図５（ｂ）参照）により点字打刻を行う打刻ユニット８０と、打刻テープ挿入口３１に挿入されたテープＴを打刻テープ排出口３２に向けて送るテープ送り機構６０と、テープＴが搬送されるテープ走行路７０とを有し、テープ送り機構６０の駆動によりテープ走行路７０に沿って送られていくテープＴに対し、打刻ユニット８０により３個の打刻ピン４１を選択的に駆動することで点字Ｂが形成される。
【００４６】
次に、打刻ユニット８０は、図５に示すように、テープＴの裏面側に配設されると共に上記３個の打刻ピン４１が組み込まれた打刻部材（打刻ヘッド）８１と、テープＴを挟んで打刻部材８１と対向する位置で打刻ピン４１を受ける打刻受け部材８２とを備え、テープ走行路７０の幅方向における図示下端部に固定配置されている。
【００４７】
打刻部材８１は、テープ幅方向（同図（ａ）における上下方向）に沿って、２．４ｍｍの間隔で配列された３個の打刻ピン４１を備えており、６個のうち縦３個の打刻ポイント２０１ａ〜２０１ｃ（または２０１ｄ〜２０１ｆ）に対応していると共に、ソレノイド４７を駆動源とした直線運動をガイドするガイド部材４５によって、テープＴに対し垂直に保持されている。打刻ピン４１の頭部４１ａは、打刻した打刻凸部２０２の形状が角の丸まった円筒形、半球形、円錐形、四角錐形等の断面形状（図４（ｂ）参照）となるような形状に形成されている。
【００４８】
ここで、ソレノイド４７によりプランジャー４８が直線運動を行うと、アーム部材４６が支持部材４９を支点として回動し、打刻ピン４１がテープＴに対し垂直方向に直線運動を行う。そして、３個のアーム部材４６にそれぞれ接続された３個のソレノイド４７は、三角形状の角部に位置するようにそれぞれ配設されている。一方、打刻受け部材８２は、３個の打刻ピン４１と対向する面４２ａに、３個の打刻ピン４１に対応する３個の打刻受け凹部４３が形成されている。そして、この打刻ピン４１と打刻受け部材８２とにより、テープＴに打刻凸部２０２を形成する。
【００４９】
また、点字打刻部１５０は、図６に示すように、テープＴの搬送をガイドするガイド部材７１、７２と、テープＴの先端を検出する透過型の先端検出センサ９１と、テープＴの前後を識別するための前後識別情報Ｄを検出する反射型の前後識別センサ９２（検出センサ）と、をさらに備えている。前後識別情報Ｄとしては、図示のとおり、テープＴの先端部且つ図示下端部付近に点「・」が印刷されており、これによってテープの挿入方向（前側）が指標されている。
【００５０】
打刻テープ挿入口３１には、テープ幅の大きいものからテープＴ１、Ｔ２、Ｔ３（テープ幅２４、１８、１２ｍｍ）が挿入可能であり、最大テープ幅のテープＴ１については上下ガイド７１、７２によってガイドされ、それ以外のテープＴ２、Ｔ３については、下ガイド部材７１のみによってガイドされ、ユーザによりその先端がテープ送り機構６０（送りローラ６１）に到達するまで（挿入可能な位置まで）手差し挿入される。そして、キーボード３上のテープ送り開始キーの押下によりテープ送り機構６０によるテープ送りが開始される。
【００５１】
次に、図７〜図９を参照し、ラベル作成装置１の全体処理について説明する。図７に示すように、電源キーの押下（電源オン）により処理が開始すると、まず、前回の電源オフ時の状態に戻すために、退避していた各制御フラグを復旧するなどの初期設定を行い（Ｓ１０）、テープ識別センサ１７１（図３参照）によりテープ種別を検出し（Ｓ１１）、続いて、ユーザによるキーボード３からの（またはパソコン等の外部装置からの）データ入力により文字情報が入力され、編集画面等として各種の情報が表示される（Ｓ１２）。
【００５２】
ここで、キーボード３からのモード選択指示（モードキー入力）により（または外部装置からの指示入力により）、モード選択割込が発生すると（ＩＮＴＭ）、処理モード選択の処理が起動され、第１処理モード（墨点併記）、第２処理モード（墨字のみ）および第３処理モード（点字のみ）のいずれかが選択される（Ｓ１３）。
【００５３】
また、レイアウト設定指示（レイアウトキー入力）により（または外部装置からの指示入力により）、レイアウト設定割込が発生すると（ＩＮＴＬ）、レイアウト設定の処理が起動され（Ｓ３０）、印刷／実行指示（印刷キー入力）により（または外部装置からの指示入力により）、印刷割込が発生すると（ＩＮＴＧ）、実行前設定の処理が起動される（Ｓ１４）。
【００５４】
ここで、実行前設定（Ｓ１４）では、実際の墨字印刷や点字打刻に際してその時点で必要とされる割付配置等の設定や各設定の最終確認等が行われる。なお、モード選択割込やレイアウト設定割込がないまま、印刷割込が発生したときには（ＩＮＴＧ）、デフォルトとして前回の設定のモード（初期設定では、第１処理モード、点字下段、墨点並行）が選択される。そして、実行前設定（Ｓ１４）が終了すると、実際の墨字印刷や点字打刻の処理を開始する。
【００５５】
すなわち、図７および図８（ａ）に示すように、第１処理モードの場合（Ｓ１３：（ａ））、墨字印刷部１２０による墨字Ｐの印刷（墨字印刷）を行った後（Ｓ１５）、印刷テープ排出口２２からテープＴを排出し（Ｓ１６）、ディスプレイ４上に打刻テープ挿入口３１へのテープ挿入指示を表示する（Ｓ１７）。なお、この指示表示は、インジケータやＬＥＤによって行っても良い。
【００５６】
テープ挿入指示に従って、ユーザによりテープＴが打刻テープ挿入口３１に挿入（手差し挿入）されると、点字打刻部１５０により点字Ｂの打刻（点字打刻）を行った後（Ｓ１８）、打刻テープ排出口３２から打刻済みテープＴを排出し（Ｓ１９）、処理を終了する（Ｓ２７）。この場合、点字打刻部１５０では、前後識別情報Ｄの検出を行い、検出結果と設定されたレイアウトに応じた点字打刻方向に基づいて、テープ挿入方向が間違っている場合には、点字打刻を行わないようにしている。
【００５７】
また、第２処理モードの場合（Ｓ１３：（ｂ））、墨字印刷部１２０による墨字印刷の後（Ｓ２０）、印刷テープ排出口２２からテープＴを排出し（Ｓ２１）、処理を終了する（Ｓ２７）。すなわち、第２処理モードでは、図８（ｂ）に示すように、装着されたテープカートリッジＣから繰り出されたテープＴが墨字印刷部１２０へ送られることによって墨字Ｐを印刷する。なお、第２処理モードが選択された場合は、前後識別情報Ｄの印刷を省略することも可能である。
【００５８】
また、第３処理モードの場合（Ｓ１３：（ｃ））、ディスプレイ４上に打刻テープ挿入口３１へのテープ挿入指示を表示し（Ｓ２４）、ユーザによるテープ挿入により点字打刻を行った後（Ｓ２５）、打刻テープ排出口３２から打刻済みテープＴを排出し（Ｓ２６）、処理を終了する（Ｓ２７）。すなわち、第３処理モードでは、図８（ｃ）に示すように、短冊状のテープ（任意の長さにカットされたテープ）Ｔが手差し挿入により点字打刻部１５０に送られて、点字Ｂを打刻する。また、この場合も、第１処理モードの場合と同様に、点字打刻部１５０において、前後識別情報Ｄの検出結果と設定されたレイアウトの点字打刻方向に対して挿入方向が間違っている場合、点字打刻を行わないようにしている。
【００５９】
なお、第３処理モードの場合も、前後識別情報Ｄの検出を省略することが可能であり、前後識別情報Ｄの検出を行うか否かを選択できるようにしても良い。また、手差し挿入のための短冊状のテープＴを入手するために、テープ挿入指示（Ｓ２４）の前に、点線で図示のように、第１処理モードの墨字印刷の代わりの空印刷（何も印刷しないでテープ送りのみ）を行った後（Ｓ２２）、印刷テープ排出口２２からテープＴを排出して（Ｓ２３）、排出された（テープカット後の）テープＴを、手差し挿入用の短冊状のテープＴとして利用しても良い。また、点字打刻部１５０の上流側にテープカートリッジＣを装着し、テープカートリッジＣから繰り出された長尺状のテープに点字打刻を行わせることも可能である。また、墨字印刷と点字打刻は、同じ文字情報に基づいて印刷／打刻するのではなく、異なる文字情報に基づいて実行することも可能である。
【００６０】
次に、レイアウト設定（Ｓ３０）では、テープ幅検出結果（Ｓ１１）および処理モード選択結果（Ｓ１３）に基づいて、主な設定として、テープＴ上における墨字印刷領域（印刷配置部）Ｅｐや点字打刻領域（打刻配置部）Ｅｂの相対位置や（図９等参照）、各配置部の長さ（印刷配置部長さＰＬ、打刻配置部長さＢＬ、共通配置部長さＣＬ（＝ＰＬとＢＬの長い方）等）が設定され、その他、墨字印刷の文字サイズなど、一般的なテープ印刷装置やワープロ等と同様の設定が行われる（図１０のＳ３５等参照）。
【００６１】
そして、特に第１処理モード（墨点併記）の場合、図９に示すように、テープ幅の検出結果が２４ｍｍ（テープＴ１）の場合は（同図（ａ）参照）、印刷配置部Ｅｐが上段，打刻配置部Ｅｂが下段（ａ―１：以下「点字下段」または「下点字」）、または印刷配置部Ｅｐが下段、打刻配置部Ｅｂが上段（ａ―２：以下「点字上段」または「上点字」）のいずれかのレイアウトが選択される。なお、テープＴの上下は、前後識別情報Ｄをテープ挿入方向（左向き）とし、且つ情報形成面を表側としたときの上下を指すものである。
【００６２】
また、テープ幅１８ｍｍ（テープＴ２）の場合も（図９（ｂ）参照）、点字下段（ｂ―１）、点字上段（ｂ―２）のいずれかが選択されることとなるが、この場合、テープ幅に合わせて印刷配置部Ｅｐのテープ幅方向長さが短くなる。なお、これらのテープＴ１やテープＴ２の場合、墨字と点字とを並行に配置するレイアウト（以下「墨点並行」または「点字墨字並記」または単に「並記」）以外に、墨字と点字とを重ねるレイアウト（以下「墨点重ね」または「点字墨字重記」または単に「重記」）を選択して設定できるようになっている。
【００６３】
なお、テープ幅１２ｍｍ（テープＴ３）の場合は（図９（ｃ）参照）、テープ幅が点字１マス２０１の大きさ（テープ幅方向長さ）を打刻可能な最低の長さであるため（図４（ａ）参照）、点字上段（上点字）・下段（下点字）の選択や墨点並行（並記）／重ね（重記）の選択・設定（図１０参照）に拘わらず、印刷配置部Ｅｐと打刻配置部Ｅｂが重なり合ったレイアウトのみとなる。
【００６４】
次に、ラベル作成時に、ユーザによるキーボード３からの入力に基づいてディスプレイ４上で行われる典型的な操作、特に上述のレイアウト設定（Ｓ３０）の操作の例について、具体的に詳述する。
【００６５】
まず、ラベル作成装置１では、ディスプレイ４内に、テキスト編集画面等の通常の表示画面（以下「通常表示画面」）の他に、イメージ表示のためのイメージ表示画面（以下「モニタ画面」）を表示することができる（図１１〜図１４参照）。このため、以下の各種の選択画面では、その時点で選択（カーソル指定）されている選択肢が設定内容として確定された場合の、墨字印刷および点字打刻のイメージ（画像）を示すサンプル画像を、ディスプレイ４内のモニタ画面に表示（サンプル表示）する。
【００６６】
まず、例えば図１０に示すように、カーソルＫまでの１行目の文字（キャラクタ）列「ＡＢＣ」が入力されたテキスト編集画面表示の状態で（画面Ｄ１０：以下、ディスプレイ４の通常表示画面の状態を画面Ｄｘｘとし、Ｄｘｘのみで説明および図示する。）、ユーザによりレイアウトキーが押されると（図７のレイアウト設定割込（ＩＮＴＬ））、レイアウト設定処理のため（Ｓ３０）、レイアウト設定画面に遷移する（Ｄ１１）。
【００６７】
ここでは、まず、墨字・点字の並記／重記選択のため（Ｓ３１）、最初の設定画面として、並記／重記選択画面に遷移する（Ｄ１１）。ここでは、選択肢として、墨字と点字とを並行に配置する「並記」と、墨字と点字とを重ねる「重記」と、のいずれかを、カーソル操作によって選択・指定できる（画面遷移直後は前回指定の選択肢をデフォルトとしてカーソル指定して表示：初期設定は「並記」）。なお、以下の各種の選択画面においても、基本的に画面遷移直後は前回指定の選択肢をデフォルトとしてカーソル指定して表示するものとして説明は省略し、適宜初期設定のみ付記する。
【００６８】
ここで、図１１（ａ）に示すように、上述の「並記」がカーソル指定された状態（以下単に「指定状態」）では（Ｄ１１）、その通常表示画面（Ｄ１１）と並ぶように、それに対応して予め定められた「並記」のイメージを示すサンプル画像を、モニタ画面Ｍ１１に表示する（画面Ｍ１１：以下、モニタ画面の状態を画面Ｍｘｘとし、Ｍｘｘのみで説明および図示する。）。また、この状態から（Ｄ１１）、図１１（ｂ）に示すように、カーソル操作により「重記」の指定状態に移行すると（Ｄ１２）、それに対応して予め定められた「重記」のイメージを示すサンプル画像を表示する（Ｍ１２）。
【００６９】
次に、図１０で上述の状態から（Ｄ１１）、「並記」がカーソル指定されて（選択されて）エンターキーの押下により確定（以下単に「選択確定」という）されたとすると、墨字・点字の配置方法として「並記」（墨点並行）を設定して、次に、図１０および図１２に示すように、点字打刻位置選択のため（Ｓ３３）、点字打刻位置（上下位置）の設定画面に遷移する（Ｄ１３）。
【００７０】
ここでは、選択肢として、点字を下段（墨字に対して下側）に配置する「下点字」（点字下段：図１２（ａ）参照、図９（ａ−１）（ｂ−１）参照）と、点字を上段（墨字に対して上側）に配置する「上点字」（点字上段：図１２（ｂ）参照、図９（ａ）の（ａ−２）（ｂ−２）参照）と、のいずれかを、それぞれサンプル画像を参照して確認しながら（Ｍ１３、Ｍ１４）、カーソル操作で選択・指定できる（初期設定は「下点字」（点字下段））。
【００７１】
次に、図１０で上述の状態から（Ｄ１３）、「下点字」が選択確定されたとすると、墨字・点字の配置方法として「下点字」（点字下段）を設定して、次に、その他の配置に関連する各種の指定を行うため（Ｓ３５）、各種選択・指定画面に遷移し（Ｄ１５ｓ）、終了すると、テキスト編集画面（文字情報入力状態）に戻る（Ｄ１６：Ｄ１０と同じ：図７ではＳ１２の状態）。
【００７２】
以上、詳述したように、本実施形態のラベル作成装置１では、テープＴ（共通の処理シート）に対する墨字と点字とのレイアウト設定情報を、複数の選択肢から選択して設定するに際して、複数の選択肢のサンプル画像をモニタ画面（表示画面）に表示するので、取扱説明書等を手元に置いて参照しなくても、容易且つ効率的に操作してレイアウトを決定でき、所望のレイアウトの墨字印刷と点字打刻とができる。
【００７３】
なお、上述の実施形態のモニタ画面における点字では、打刻点を●として示すだけで、非打刻点（打刻されていない点）は示していないが（図１１、図１２のＭ１１〜Ｍ１４参照）、非打刻点を例えば小さな四角あるいは「−」のように示して、全体を把握しやすくしても良い（図１３、図１４のＭ１１ｓ〜Ｍ１４ｓ参照）。
【００７４】
また、上述では、レイアウト設定時におけるサンプル画像の表示についてのみ説明したが、レイアウト設定後には（図１０のＤ１６の状態）、設定されたレイアウト設定情報に基づくプレビュー画像を表示させることもできる。
【００７５】
例えば上述の例の場合、通常表示画面として戻ったテキスト編集画面（Ｄ１６）では、文字列「ＡＢＣ」が入力された状態であり、「並記」且つ「下点字」が選択されたので、墨字印刷と点字打刻とが実行されれば、墨字の文字列「ＡＢＣ」の印刷の下側に「ＡＢＣ」に対応する点字を打刻することになる。このため、上述の例の場合、レイアウト設定後には（Ｄ１６）、図１５（ａ）に示すように、「ＡＢＣ」の文字列の下にその点字を配置したプレビュー表示を行う（Ｍ１６）。また、例えば「重記」が選択されて設定された場合には、同図（ｂ）のようにプレビュー表示する（Ｍ１６ｓ）。
【００７６】
すなわち、設定前には、選択された任意の選択肢に対応するサンプル画像を表示し、設定後には、設定されたレイアウト設定情報に基づくプレビュー画像を表示するので、任意の選択肢を選択し、そのサンプル画像により設定前の確認ができるとともに、設定後には、実際に入力した文字情報に基づくプレビュー画像によりレイアウトの確認ができる。
【００７７】
また、上述では、サンプル画像やプレビュー画像として、２４ｍｍ（テープＴ１）の例を示したが、テープ幅１８ｍｍ（テープＴ２）やテープ幅１２ｍｍ（テープＴ３）でも同様に適用できる。また、２４ｍｍ（テープＴ１）やテープ幅１８ｍｍ（テープＴ２）の場合、墨字を（例えばテープ幅に合わせて）大きく印刷しておいて、「重記」を選択して、墨字印刷の上方部（上点字）や下方部（下点字）の一部に点字を重ねて配置することもできる。また、墨字と点字との位置関係を上下関係のみについて示したが、墨字と点字とがいわゆる同一行に並ぶ前後関係についても適用でき、また、例えば複数行構成で異なる行に並んだり、一方が上下方向にずれて一部重なったりするように、上下関係や斜めの相対位置関係が存在しうるものにも適用できる。
【００７８】
また、上述した実施形態において採用された文字情報処理装置としての機能あるいは各種処理方法（文字情報処理方法など）は、上述のラベル作成装置１ばかりでなく、プログラム処理可能な各種の装置によって処理されるプログラムとして適用でき、その種のプログラムを記憶するための例えばＣＤ、ＭＤ、ＤＶＤ等の記憶媒体にも適用でき、この種のプログラムを記憶しておいて、あるいは記憶媒体等から読み出して、実行することにより、取扱説明書等を手元に置いて参照しなくても、容易且つ効率的に操作してレイアウトを決定でき、容易に墨字印刷と点字打刻とができる。もちろん、その他、要旨を逸脱しない範囲で、適宜変更も可能である。
【図面の簡単な説明】
【００７９】
【図１】実施形態に係るラベル作成装置の外観斜視図。
【図２】図１のラベル作成装置の開蓋状態の外観斜視図。
【図３】図１のラベル作成装置の制御系の概略ブロック図。
【図４】６点点字の説明図および打刻凸部の断面図。
【図５】打刻ユニットの平面図および断面図。
【図６】点字打刻部におけるテープの搬送を説明する説明図。
【図７】ラベル作成装置の全体処理のフローチャート。
【図８】図７の処理モードに関する補足説明図。
【図９】図７のテープ幅の相違に関する補足説明図。
【図１０】レイアウト設定時の操作および処理の説明図。
【図１１】図１０の選択画面の例に対応するサンプル画像の表示の例を示す説明図。
【図１２】図１０の別の選択画面に対応する、図１１と同様の説明図。
【図１３】図１１と同じ選択画面に対応する別の例を示す説明図。
【図１４】図１２と同じ選択画面に対応する別の例を示す説明図。
【図１５】レイアウト設定後のプレビュー画像の表示例を示す説明図。
【符号の説明】
【００８０】
１…ラベル作成装置（文字情報処理装置）  ２…装置ケース  ３…キーボード  ４…ディスプレイ  ７…印刷ヘッド  １１０…操作部  １２０…墨字印刷部  １４０…切断部  １５０…点字打刻部  １７０…検出部  １８０…駆動部  ２００…制御部  Ｂ…点字  ＢＬ…打刻配置部長さ  Ｃ…テープカートリッジ  ＣＬ…共通配置部長さ  Ｄｘｘ…通常表示画面  Ｅｂ…点字打刻領域（打刻配置部）  Ｅｃ…共通処理領域（共通配置部）  Ｅｐ…墨字印刷領域（印刷配置部）  Ｍｘｘ…モニタ画面  Ｐ…墨字  ＰＬ…印刷配置部長さ  Ｔ、Ｔ１、Ｔ２、Ｔ３……テープ（処理シート）
【図１】
2006053312.tif 000003
【図２】
2006053312.tif 000004
【図３】
2006053312.tif 000005
【図４】
2006053312.tif 000006
【図５】
2006053312.tif 000007
【図６】
2006053312.tif 000008
【図７】
2006053312.tif 000009
【図８】
2006053312.tif 000010
【図９】
2006053312.tif 000011
【図１０】
2006053312.tif 000012
【図１１】
2006053312.tif 000013
【図１２】
2006053312.tif 000014
【図１３】
2006053312.tif 000015
【図１４】
2006053312.tif 000016
【図１５】
2006053312.tif 000017